(57)【要約】【課題】  発生させたマイナスイオンを、電動モータを用いないより簡単な構成で空気中に拡散させることができるマイナスイオン発生装置を提供する。【解決手段】  本体１１に立設された導電軸１２の先端には、回転子１３が水平面内で回転可能な状態で支持されている。回転子１３は、導電軸１２に被せられることで回転可能な状態に係止される鞘状部材１５と、この鞘状部材１５に合体された腕１６とからなる。腕１６の各端部には、針状電極１４ａ，１４ｂが設けられている。各針状電極１４ａ，１４ｂには、本体１１内に設けられた高電圧発生回路から、導電性材料によって形成された導電軸１２、鞘状部材１５及び腕１６を介して直流高電圧のマイナス側が接続される。【選択図】      図１
2005235618.tif 000002
【特許請求の範囲】
【請求項１】
本体に設けられた支持部材と、
この支持部材に対し回転可能な状態で支持された回転子と、
前記回転子の回転軸線と交差しない位置において、回転軸線を含む仮想平面に対して略直交する向きに延びるように回転子に設けられた針状電極と、
前記針状電極に対し、前記本体から直流のマイナス側を供給するための電気供給手段とを備えていることを特徴とするマイナスイオン発生装置。
【請求項２】
前記支持部材は、前記本体に立設された支持軸であって、
前記回転子は、前記支持軸の先端に係止されることにより水平面内で回転可能な状態に支持されていることを特徴とする請求項１に記載のマイナスイオン発生装置。
【請求項３】
前記電気供給手段は、
導電性材料からなり、尖鋭状の先端を有する前記支持軸と、
導電性材料からなり、前記回転子の回転中心部を形成するとともに前記支持軸の先端に被せられることにより回転可能な状態で係止される鞘状部材と、
前記回転子において鞘状部材と前記針状電極との間を連絡する導電部材とからなることを特徴とする請求項２に記載のマイナスイオン発生装置。
【請求項４】
前記回転子は、導電性材料によって形成され、
前記導電部材は、前記回転子によって形成されていることを特徴とする請求項３に記載のマイナスイオン発生装置。
【請求項５】
前記回転子は、前記針状電極が先端に設けられた略棒状に形成されていることを特徴とする請求項１〜請求項４のいずれか一項に記載のマイナスイオン発生装置。
【発明の詳細な説明】
【技術分野】
【０００１】
本発明は、マイナスイオンを発生させるマイナスイオン発生装置に関する。
【背景技術】
【０００２】
この種の装置としては、例えば特許文献１に記載されるものがある。この装置では、枠体内に設けた吹出ファンを電動モータで回転させ、空気吸込口を通じて枠体内の空気流路に外気を導入し、この空気を空気吹出口から外部に吹き出す。また、空気吹出口付近に配設された電極と、枠体の内部において空気流路の外部に隔離されたモータハウジングとの間には、電極側をマイナス側としモータハウジング側をプラス側とする直流高電圧が印可される。すると、空気流路内の空気がイオン化してマイナスイオンが発生する。空気流路内に発生したマイナスイオンは、吹出ファンが空気流路内に生成する空気流によって枠体外部に放出される。枠体外部に放出されたマイナスイオンは、空気流とともに室内に拡散される。
【特許文献１】特開２００１−３３８７４４号公報
【発明の開示】
【発明が解決しようとする課題】
【０００３】
しかしながら、上記装置では、電動モータによって吹出ファンを駆動し、この吹出ファンが空気流路から枠体外部に放出する空気流によってマイナスイオンを室内に拡散させている。このため、装置の構成が複雑になるので、装置全体が大きく、また、全体重量が重くなっている。また、電動モータに騒音が発生するため、静かな場所では使いにくい問題もあった。
【０００４】
本発明の目的は、発生させたマイナスイオンを、電動モータを用いないより簡単な構成で空気中に拡散させることができるマイナスイオン発生装置を提供することにある。
【課題を解決するための手段】
【０００５】
上記目的を達成するため、請求項１に記載の発明は、本体に設けられた支持部材と、  この支持部材に対し回転可能な状態で支持された回転子と、前記回転子の回転軸線と交差しない位置において、回転軸線を含む仮想平面に対して略直交する向きに延びるように回転子に設けられた針状電極と、前記針状電極に対し、前記本体から直流のマイナス側を供給するための電気供給手段とを備えていることを特徴とする。
【０００６】
従って、請求項１に記載の発明によれば、回転子に設けられた針状電極の近傍でマイナスイオンが生成されることで回転子が回転し、回転中の回転子からマイナスイオンが回転軸を中心とする全方位に放出される。
【０００７】
請求項２に記載の発明は、請求項１に記載の発明において、前記支持部材は、前記本体に立設された支持軸であって、前記回転子は、前記支持軸の先端に係止されることにより水平面内で回転可能な状態に支持されていることを特徴とする。
【０００８】
従って、請求項２に記載の発明によれば、回転子が、支持軸の先端に係止されるだけで回転可能な状態で支持される。
請求項３に記載の発明は、請求項２に記載の発明において、前記電気供給手段は、導電性材料からなり、尖鋭状の先端を有する前記支持軸と、導電性材料からなり、前記回転子の回転中心部を形成するとともに前記支持軸の先端に被せられることにより回転可能な状態で係止される鞘状部材と、前記回転子において鞘状部材と前記針状電極との間を連絡する導電部材とからなることを特徴とする。
【０００９】
従って、請求項３に記載の発明によれば、尖鋭状の先端を有する支持軸と、支持軸の先端に被せられる鞘状部材とによって、回転子が回転可能な状態で支持軸に支持されるとともに、本体から支持軸を介して回転子に電気が供給される。そして、鞘状部材と針状電極との間を連絡するように回転子に設けられた導電部材によって鞘状部材から針状電極に電圧が印可される。
【００１０】
請求項４に記載の発明は、請求項３に記載の発明において、前記回転子は、導電性材料によって形成され、前記導電部材は、前記回転子によって形成されていることを特徴とする。
【００１１】
従って、請求項４に記載の発明によれば、導電性材料からなる回転子を介して、鞘状部材から針状電極に電圧が印可される。
請求項５に記載の発明は、請求項１〜請求項４のいずれか一項に記載の発明において、  前記回転子は、前記針状電極が先端に設けられた略棒状に形成されていることを特徴とする。
【００１２】
従って、請求項５に記載の発明によれば、回転子が略棒状なので、回転子の重量がより軽くなる。このため、回転子がより速く回転するので、マイナスイオンがより効率的に拡散する。
【発明の効果】
【００１３】
請求項１〜請求項５に記載の発明によれば、回転子に設けられた針状電極の近傍でマイナスイオンが生成され、これによって回転する回転子からマイナスイオンが全方位に放出される。このため、電動モータを用いないより簡単な構成で空気中に拡散させることができるマイナスイオン発生装置を提供することができる。
【発明を実施するための最良の形態】
【００１４】
次に、本発明を具体化した一実施形態を図１〜図３に従って説明する。
図１に示すように、本実施形態のマイナスイオン発生装置１０は、テーブル等の上に載置される本体１１と、この本体１１に立設された導電軸１２（支持部材）と、この導電軸１２の先端に回転可能な状態で支持された回転子１３とを備えている。回転子１３の両端部には、針状電極１４ａ，１４ｂが設けられている。導電軸１２は、鉄、銅等の導電性材料から形成されている。
【００１５】
図２（ａ），（ｂ）に示すように、回転子１３は、その回転中心部に配設された鞘状部材１５と、略棒状に形成されて鞘状部材１５に接合された腕１６（導電部材）とを有している。本実施形態では、導電軸１２、鞘状部材１５及び腕１６が電気供給手段を構成する。
【００１６】
導電軸１２は、尖鋭状の先端を有している。鞘状部材１５は、金属、炭素繊維等の導電性材料によって略釣り鐘状に形成され、導電軸１２の先端に被せられることにより回転可能な状態で係止されている。
【００１７】
腕１６は、炭素繊維、金属等の導電性材料によって軽量に形成されている。腕１６の中央部に設けられた円形部１７には、鞘状部材１５に外嵌するための孔１７ａが設けられている。そして、腕１６は、円形部１７が鞘状部材１５に外嵌されることで鞘状部材１５と合体されるとともに電気的に接続されている。
【００１８】
図１に示すように、前記針状電極１４ａは、腕１６の一方の先端部において、回転子１３の中心軸を中心とする仮想円の接線方向に突出するように設けられている。同様に前記針状電極１４ｂは、腕１６の他方の先端部において、針状電極１４ａと逆向きに突出するように設けられている。すなわち、両針状電極１４ａ，１４ｂは、回転子１３の回転軸線と交差しない位置において、この回転軸線を含む１つの仮想平面に対して直交する向きに延びるように回転子１３に設けられている。各針状電極１４ａ，１４ｂは、その基端部が腕１６の内部に埋め込まれることで腕１６に固定支持されている。これにより、各針状電極１４ａ，１４ｂは、腕１６に対して電気的にも接続されている。
【００１９】
そして、回転子１３は、鞘状部材１５が導電軸１２の先端に係止されることによって、導電軸１２に対し水平面内で回転可能な状態で支持されている。また、鞘状部材１５は、導電軸１２の先端に被せられることにより、導電軸１２に対し電気的に接続されている。従って、各針状電極１４ａ，１４ｂは、腕１６及び鞘状部材１５を介して導電軸１２に対し電気的に接続されている。
【００２０】
本体１１の内部には、図３に示すように、商用１００Ｖ交流から、マイナスイオンを発生させるための直流高電圧を生成する高電圧発生回路１８が配設されている。高電圧発生回路１８は、直列共振回路、昇圧用トランス等からなる公知の回路構成である。高電圧発生回路１８のマイナス側出力端子１９は、導電軸１２、鞘状部材１５及び腕１６を介して各針状電極１４ａ，１４ｂに接続されている。なお、高電圧発生回路１８のプラス側出力端子２０は接地される。
【００２１】
次に、以上のように構成された本実施形態の作用について説明する。
高電圧発生回路１８から導電軸１２、鞘状部材１５及び腕１６を介して各針状電極１４ａ，１４ｂに直流高電圧が印可されると、各針状電極１４ａ，１４ｂと本体１１との間の空気がイオン化してマイナスイオンが発生する。このとき、各針状電極１４ａ，１４ｂでは、その先端付近でマイナスイオンが生成され、針状電極１４ａ，１４ｂの延長方向に向かうイオン風が発生する。そして、このイオン風の反作用により、回転子１３にはイオン風の向きと反対向きの駆動力が加わる。すると、回転子１３は、針状電極１４ａ，１４ｂからマイナスイオンを発生しながら、図１に矢印で示す向きに回転する。このため、回転する回転子１３からは、導電軸１２を中心とする全方向に向かってマイナスイオンが放出される。
【００２２】
このとき、回転子１３が、各針状電極１４ａ，１４ｂからマイナスイオンを放出しながら移動していくので、各針状電極１４ａ，１４ｂの先端付近には、マイナスイオン濃度の低い空気が連続的に供給される。このため、各針状電極１４ａ，１４ｂの位置が固定しされている場合よりも、マイナスイオンが効率的に生成される。
【００２３】
従って、本実施形態は、電動モータを用いない簡単な構成であるため、装置全体がより小型で、全体重量もより小さくなる。また、電動モータの騒音がないので、静かな環境で使用することができる。
【００２４】
また、本実施形態においては、回転子１３が、導電軸１２の先端に係止されるだけで回転可能な状態で支持される。また、本体１１に立設された導電軸１２と、導電軸１２の先端に被せられる鞘状部材１５とによって、本体１１から回転子１３に電圧が供給される。さらに、導電性材料からなる腕１６を介して鞘状部材１５から針状電極１４ａ，１４ｂに電圧が印可される。以上のような構成であるので、構成が簡単となる。
【００２５】
さらに、回転子１３が棒状なので、その重量がより軽くなる。このため、回転子１３がより速く回転するので、マイナスイオンがより効率的に拡散する。
次に、上記実施形態以外の実施形態を記載する。
【００２６】
・  前記実施形態における腕の構成を、図４（ａ），（ｂ）に示すような構成としてもよい。すなわち、この腕３０は、合成樹脂等の電気絶縁性材料によって形成されている。腕３０の内部には、鞘状部材１５に対し機械的及び電気的に接続された針金３１（導電部材）が配設されている。そして、各針状電極３２は、針金３１の先端が直角に折曲げられるとともに腕３０の外部まで延出されることで形成されている。このような腕３０を有する回転子３３は、鞘状部材１５及び針金３１を埋め込むインサート成形によって形成される。この実施形態では、導電軸１２、鞘状部材１５及び針金３１が電気供給手段を構成する。
【００２７】
・  回転子１３における腕１６及び針状電極１４ａ，１４ｂの数は、１つであってもよく、あるいは、３つ以上であってもよい。
・  腕１６の形状は、棒状に限らず、羽根状、ブーメラン状、風車状等の見栄えを考慮したものであってもよい。
【００２８】
・  回転子１３が、垂直面内で回動可能な状態で支持される構成としてもよい。
【図面の簡単な説明】
【００２９】
【図１】本実施形態のマイナスイオン発生装置を示す斜視図。
【図２】（ａ）は、回転子の要部を示す横断面図、（ｂ）は、同じく縦断面図。
【図３】電気的な構成を示すブロック図。
【図４】（ａ）は、他の実施形態における回転子の要部を示す横断面図、（ｂ）は同じく縦断面図。
【符号の説明】
【００３０】
１０…マイナスイオン発生装置、１１…本体、１２…支持部材としての導電軸、１３…電気供給手段を構成する回転子、１４ａ，１４ｂ…針状電極、１５…電気供給手段を構成する鞘状部材、１６…電気供給手段を構成する導電部材としての腕、３２…針状電極、３３…回転子。
【図１】
2005235618.tif 000003
【図２】
2005235618.tif 000004
【図３】
2005235618.tif 000005
【図４】
2005235618.tif 000006